(57)【要約】【課題】画像を表示する領域の表面を好適に洗浄することが可能な携帯電子機器を提供することを目的とする。【解決手段】筐体を備えた携帯電子機器であって、筐体に配置された表示部と、表示部に重畳して配置されたタッチセンサとを備えるタッチパネルと、タッチパネルの動作を制御し、タッチパネルの操作を検出する操作検出モードとタッチパネルを洗浄する洗浄モードとを切り換える制御部と、を有し、タッチセンサは、対向して配置された２枚の板状の板状導電体を備える接触検出部と、接触検出部に電圧を印加し接触検出部に入力される操作を検出するセンサ制御部と、を備え、制御部は、洗浄モードを選択した場合、センサ制御部で接触検出部を超音波周波数で駆動し、２枚の板状導電体を振動させることにより、上記課題を解決する。【選択図】図２
2012205151.tif 000002
【特許請求の範囲】
【請求項１】
筐体を備えた携帯電子機器であって、
前記筐体に配置された表示部と、前記表示部に重畳して配置されたタッチセンサとを備えるタッチパネルと、
前記タッチパネルの動作を制御し、前記タッチパネルの操作を検出する操作検出モードと前記タッチパネルを洗浄する洗浄モードとを切り換える制御部と、を有し、
前記タッチセンサは、対向して配置された２枚の板状の板状導電体を備える接触検出部と、前記接触検出部に電圧を印加し前記接触検出部に入力される操作を検出するセンサ制御部と、を備え、
前記制御部は、前記洗浄モードを選択した場合、前記センサ制御部で前記接触検出部を超音波周波数で駆動し、前記２枚の板状導電体を振動させることを特徴とする携帯電子機器。
【請求項２】
筐体を備えた携帯電子機器であって、
前記筐体に配置された表示部と、前記表示部に重畳して配置されたタッチセンサとを備えるタッチパネルと、
前記タッチパネルの動作を制御し、前記タッチパネルの操作を検出する操作検出モードと前記タッチパネルを洗浄する洗浄モードとを切り換える制御部と、を有し、
前記表示部は、前記筐体に配置され画像を表示させる液晶表示パネルおよび前記液晶表示パネルの駆動を制御するパネル駆動部を備え、
前記制御部は、前記洗浄モードを選択した場合、前記パネル駆動部で前記液晶表示パネルを超音波周波数で駆動し、前記液晶表示パネルを振動させることを特徴とする携帯電子機器。
【請求項３】
前記制御部は、前記洗浄モードを選択した場合、前記操作検出モードよりも高い周波数で交流駆動することを特徴とする請求項１または２に記載の携帯電子機器。
【請求項４】
前記制御部は、前記洗浄モードを選択した場合、前記操作検出モードよりも高い電圧で交流駆動することを特徴とする請求項１から３のいずれか一項に記載の携帯電子機器。
【請求項５】
筐体を備えた携帯電子機器であって、
前記筐体に配置され画像を表示させる液晶表示パネルおよび前記液晶表示パネルの駆動を制御するパネル駆動部を備える表示部と、
前記表示部の動作を制御し、前記表示部に画像を表示させる表示モードと前記表示部を洗浄する洗浄モードとを切り換える制御部と、を有し、
前記制御部は、前記洗浄モードを選択した場合、前記パネル駆動部で前記液晶表示パネルを超音波周波数で駆動し、前記液晶表示パネルを振動させることを特徴とする携帯電子機器。
【請求項６】
所定周波数の音声を発する音声発生部と、
前記音声発生部からの発生と異なるタイミングで前記筐体を振動させるバイブレーション部と、
前記音声発生部から発せられた第１の音声、前記バイブレーション部の振動から発せられた第２の音声および外部からの入力ノイズによる第３の音声の少なくとも１つを取り込む音声取込部と、をさらに有し、
前記制御部は、前記取り込まれた音声の音声レベルと、前記音声の残響時間との少なくとも一つを検出し、検出した測定結果から、前記筐体の周囲環境を判断する周囲環境判断部を有し、
前記周囲環境判定部で前記筐体が水中にあることを検出したら、超音波周波数での駆動を開始することを特徴とする請求項１から５のいずれか一項に記載の携帯電子機器。
【発明の詳細な説明】
【技術分野】
【０００１】
本発明は、表示部を備える携帯電子機器に関する。
【背景技術】
【０００２】
近年、携帯電話機等の携帯電子機器は、画像を表示する表示部を備える。携帯電話機では、この表示部をレシーバの近傍に配置している。このため、ユーザーが携帯電話機で通話を行うためにレシーバを耳に近付けると、ユーザーの耳や頬が表示部に当たり、表示部が汚れてしまう。また、近年では表示部と操作部の機能を兼ね備えたタッチパネルを備える携帯電子機器もある。タッチパネルは、指等で押して操作を行うため、汚れやすい。
【０００３】
ここで、携帯電子機器の汚れの問題を解消する方法としては、携帯電子機器を洗浄する方法がある。例えば、携帯電子機器を洗浄する専用の洗浄装置（特許文献１参照）を用いて携帯電子機器の表示部やタッチパネルを洗浄する方法がある。また、携帯電子機器が備える振動発生器の振動を用いて洗浄を行う装置もある（特許文献２参照）。また、携帯電子機器が備える音出力手段から特定の音を出力させて洗浄を行う装置もある（特許文献３参照）。
【先行技術文献】
【特許文献】
【０００４】
【特許文献１】特開２００９−２０２０５２号公報
【特許文献２】特開２００９−７１７４７号公報
【特許文献３】特開２００９−２００９４１号公報
【発明の概要】
【発明が解決しようとする課題】
【０００５】
特許文献１から３に記載の方法で携帯電子機器を洗浄することで、画像を表示する領域の表面の汚れを一定程度落とすことはできるが、十分に汚れを落とせない場合もある。
【０００６】
本発明は、上記に鑑みてなされたものであって、画像を表示する領域の表面を好適に洗浄することが可能な携帯電子機器を提供することを目的とする。
【課題を解決するための手段】
【０００７】
本発明は、筐体を備えた携帯電子機器であって、前記筐体に配置された表示部と、前記表示部に重畳して配置されたタッチセンサとを備えるタッチパネルと、前記タッチパネルの動作を制御し、前記タッチパネルの操作を検出する操作検出モードと前記タッチパネルを洗浄する洗浄モードとを切り換える制御部と、を有し、前記タッチセンサは、対向して配置された２枚の板状の板状導電体を備える接触検出部と、前記接触検出部に電圧を印加し前記接触検出部に入力される操作を検出するセンサ制御部と、を備え、前記制御部は、前記洗浄モードを選択した場合、前記センサ制御部で前記接触検出部を超音波周波数で駆動し、前記２枚の板状導電体を振動させることを特徴とする。
【０００８】
本発明は、筐体を備えた携帯電子機器であって、前記筐体に配置された表示部と、前記表示部に重畳して配置されたタッチセンサとを備えるタッチパネルと、前記タッチパネルの動作を制御し、前記タッチパネルの操作を検出する操作検出モードと前記タッチパネルを洗浄する洗浄モードとを切り換える制御部と、を有し、前記表示部は、前記筐体に配置され画像を表示させる液晶表示パネルおよび前記液晶表示パネルの駆動を制御するパネル駆動部を備え、前記制御部は、前記洗浄モードを選択した場合、前記パネル駆動部で前記液晶表示パネルを超音波周波数で駆動し、前記液晶表示パネルを振動させることを特徴とする。
【０００９】
ここで、前記制御部は、前記洗浄モードを選択した場合、前記操作検出モードよりも高い周波数で交流駆動することが好ましい。
【００１０】
前記制御部は、前記洗浄モードを選択した場合、前記操作検出モードよりも高い電圧で交流駆動することが好ましい。
【００１１】
本発明は、筐体を備えた携帯電子機器であって、前記筐体に配置され画像を表示させる液晶表示パネルおよび前記液晶表示パネルの駆動を制御するパネル駆動部を備える表示部と、前記表示部の動作を制御し、前記表示部に画像を表示させる表示モードと前記表示部を洗浄する洗浄モードとを切り換える制御部と、を有し、前記制御部は、前記洗浄モードを選択した場合、前記パネル駆動部で前記液晶表示パネルを超音波周波数で駆動し、前記液晶表示パネルを振動させることを特徴とする。
【００１２】
ここで、所定周波数の音声を発する音声発生部と、前記音声発生部からの発生と異なるタイミングで前記筐体を振動させるバイブレーション部と、前記音声発生部から発せられた第１の音声、前記バイブレーション部の振動から発せられた第２の音声および外部からの入力ノイズによる第３の音声の少なくとも１つを取り込む音声取込部と、をさらに有し、前記制御部は、前記取り込まれた音声の音声レベルと、前記音声の残響時間との少なくとも一つを検出し、検出した測定結果から、前記筐体の周囲環境を判断する周囲環境判断部を有し、前記周囲環境判定部で前記筐体が水中にあることを検出したら、超音波周波数での駆動を開始することが好ましい。
【発明の効果】
【００１３】
本発明にかかる携帯電子機器は、画像を表示する領域の表面を好適に洗浄することが可能となるという効果を奏する。
【図面の簡単な説明】
【００１４】
【図１】図１は、携帯電子機器の一実施形態の概略構成を示す正面図である。
【図２】図２は、図１に示す携帯電子機器の概略構成を示すブロック図である。
【図３】図３は、タッチセンサの概略構成を示す模式図である。
【図４】図４は、タッチセンサの接触検出部の概略構成を示す模式図である。
【図５】図５は、洗浄モードでのタッチセンサの駆動方法の一例を示す説明図である。
【図６】図６は、洗浄モードでのタッチセンサの駆動方法の一例を示す説明図である。
【図７】図７は、周波数と強度とキャビテーションとの関係を示すグラフである。
【図８】図８は、タッチセンサの他の実施形態の概略構成を示す模式図である。
【図９】図９は、タッチセンサの他の実施形態の接触検出部の概略構成を示す模式図である。
【図１０】図１０は、洗浄モードでのタッチセンサの駆動方法の一例を示す説明図である。
【図１１】図１１は、表示部の概略構成を示す模式図である。
【図１２】図１２は、表示部の他の実施形態の概略構成を示す模式図である。
【図１３】図１３は、携帯電子機器の動作の一例を示すフロー図である。
【図１４】図１４は、測定値と基準値との比較結果を示す図である。
【図１５】図１５は、測定値と基準値との比較結果を示す図である。
【図１６】図１６は、測定値と基準値との比較結果を示す図である。
【発明を実施するための形態】
【００１５】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器の一例として携帯電話機を取り上げるが、本発明の適用対象は携帯電話機に限定されるものではなく、例えば、ＰＨＳ（Personal  Handy-phone  System）、ＰＤＡ、ポータブルナビゲーション装置、ノートパソコン、ゲーム機等に対しても本発明は適用できる。
【００１６】
まず、携帯電子機器の外観の構成を説明する。図１は、携帯電子機器の一実施形態の概略構成を示す正面図である。携帯電子機器１０は、ここでは無線通信機能を備えた携帯電話機としたが、後述するように、無線通信機能を備えていない携帯電子機器であっても実施することが可能である。また、携帯電子機器１０は、１つの箱型形状の筐体１１の内部に各部が収納された薄板状の携帯電話機である。筐体１１は、少なくとも生活防水仕様となっている。筐体１１の表面が水に濡れるか、浅い水深程度なら水没後であっても使用が可能である。なお、本実施形態では、筐体１１を１つの薄板状の形状としたが、通常使用時や携帯時でもレシーバ１６やスピーカ１７の少なくとも一方と、マイク１５とが常に外部に露出し、一定距離離間して設けられている筐体であれば、２つの部材をスライドさせる筐体としてもよい。筐体としては、ヒンジで連結された２つの部材で構成した折りたたみ可能な筐体や、３つ以上の部材を連結した筐体も用いることができる。
【００１７】
携帯電子機器１０は、筐体１１の表面に、タッチパネル１２と、ボタン１３Ａ、ボタン１３Ｂ及び入力デバイス１３Ｃからなる入力部１３と、マイク１５と、レシーバ１６と、スピーカ１７と、が配置されている。タッチパネル１２は、板状の筐体１１の面積が最も広い面に配置されている。また、入力部１３も、筐体１１のタッチパネル１２が配置されている面の、長手方向の一方の端部に配置されている。入力部１３は、短手方向の一方から他方に向かって、ボタン１３Ａ、入力デバイス１３Ｃ、ボタン１３Ｂの順で配置されている。また、マイク１５は、筐体１１のタッチパネル１２が配置されている面の長手方向の一方の端部、つまり、入力部１３が配置されている端部に配置されている。また、レシーバ１６は、筐体１１のタッチパネル１２が配置されている面の長手方向の他方の端部、つまり、入力部１３が配置されている端部とは反対側の端部に配置されている。また、スピーカ１７は、タッチパネル１２が配置されている面とは反対側の面に配置されている。また、レシーバ１６付近の筐体１１内部には、マナーモードの着信時に筐体１１を振動させるバイブモータ１８が内蔵されている。
【００１８】
タッチパネル１２は、文字、図形、画像等を表示するとともに、指、スタイラス、ペン（ペンの先端、棒状部材の先端）等（以下、単に「指」という）を用いてタッチパネル１２に対して行われる各種動作を検出する。例えば、携帯電子機器１０は、ユーザーから文字の入力を受け付けるために、タッチパネル１２上に仮想キーボードを表示させる。携帯電子機器１０は、タッチパネル１２上に仮想キーボードを表示させた状態で、指によってタッチパネル１２に入力される各種動作を検出し、仮想キーボードのどのキーが押下されたか、接触されたかを検出し、押下、接触を検出したキーを入力したキーとすることで、文字入力を行うことができる。また、タッチパネル１２は、文字の入力によらず、表示させている画像と、指によってタッチパネル１２に対して行われる各種動作とに基づいて、各種操作の入力を検出し、入力された操作に基づいて各種制御を行う。
【００１９】
入力部１３は、ボタン１３Ａ、１３Ｂが押下された場合に、押下されたボタンに対応する機能を起動させる。また、入力部１３は、入力デバイス１３Ｃに入力された動作も操作として検出し、入力された操作に基づいて各種制御を行う。例えば、入力デバイス１３Ｃは、方向指示操作や決定操作を検出する。入力デバイス１３Ｃは、タッチパッド、光学式入力デバイス、４方及び中央にボタンを備える入力デバイス等で構成される。
【００２０】
図２は、図１に示す携帯電子機器の機能の概略構成を示すブロック図である。図２に示すように携帯電子機器１０は、タッチパネル１２と、入力部１３と、マイク１５と、レシーバ１６と、スピーカ１７と、バイブモータ１８と、制御部２２と、記憶部２４と、送受信部２６と、音声処理部３０と、を有する。 
【００２１】
タッチパネル１２は、表示部１２Ｂと、表示部１２Ｂに重畳されたタッチセンサ１２Ａとを有する。タッチセンサ１２Ａは、指を用いてタッチパネル１２に対して行われた各種動作を、動作が行われた場所のタッチパネル１２上での位置とともに検出する。タッチセンサ２Ａによって検出される動作には、指をタッチパネル１２の表面に接触させる動作や、指をタッチパネル１２の表面に接触させたまま移動させる動作や、指をタッチパネル１２の表面から離す動作が含まれる。なお、タッチセンサ１２Ａは、感圧式、静電式等のいずれの検出方式を採用していてもよい。表示部１２Ｂは、例えば、液晶ディスプレイ（ＬＣＤ、Liquid  Crystal  Display）や、有機ＥＬ（Organic  Electro−Luminescence）パネル等で構成され、文字、図形、画像等を表示する。
【００２２】
入力部１３は、上述したようにボタン１３Ａ、１３Ｂと、入力デバイス１３Ｃと、を有する。ボタン１３Ａ、１３Ｂは、物理的な入力（押下）を通じてユーザーの操作を受け付け、受け付けた操作に対応する信号を主制御部１０へ送信する。また、入力デバイス１３Ｃも、ユーザーの操作を受け付け、受け付けた操作に対応する信号を制御部２２へ送信する。
【００２３】
制御部２２は、ＣＰＵ（Central  Processing  Unit）等の携帯電子機器１０の全体的な動作を統括的に制御する処理部である。すなわち、携帯電子機器１０の制御部２２は、タッチパネル１２および入力部１３で検出する操作や携帯電子機器１０の記憶部２４に保存されるソフトウェアによって各種の処理が適切な手順で実行されるように、タッチパネル１２の表示部１２Ｂ、バイブモータ１８、送受信部２６、音声処理部３０等の動作を制御している。携帯電子機器１０の各種の処理としては、例えば、回線交換網を介して行われる音声通話、電子メールの作成及び送受信、インターネットのＷｅｂ（World  Wide  Web）サイトの閲覧等がある。また、送受信部２６、音声処理部３０等の動作としては、例えば、送受信部２６による信号の送受信、音声処理部３０による音声の入出力、表示部１２Ｂによる画像の表示等がある。また、バイブモータ１８の動作としては、例えば、バイブモータ１８によるバイブ音の発生等がある。
【００２４】
制御部２２は、記憶部２４に保存されているプログラム（例えば、オペレーティングシステムプログラム、アプリケーションプログラム等）に基づいて処理を実行する。制御部２２は、例えば、マイクロプロセッサユニット（ＭＰＵ：Micro  Processor  Unit）で構成され、前記ソフトウェアで指示された手順にしたがって上述した携帯電子機器１０の各種の処理を実行する。すなわち、制御部２２は、記憶部２４に保存されるオペレーティングシステムプログラムやアプリケーションプログラム等から命令コードを順次読み込んで処理を実行する。
【００２５】
制御部２２は、周囲環境判断部２２ａと洗浄制御部２２ｂとを有する。周囲環境判断部２２ａは、携帯電子機器１０の各部で検出した情報と記憶部２４に記憶された基準値とを比較することにより、筐体１１の周囲環境を判断する。具体的には、周囲環境判断部２２ａは、マイク１５で取得した音声に基づいて筐体１１が水中にあるか否かを判断する。
【００２６】
制御部２２の周囲環境判断部２２ａは、周囲環境を判断する所定の条件を満たしている場合、周囲環境の判断を一定時間毎に繰り返し、状況の変化に対応して常に最新の周囲環境を把握する。制御部２２は、スピーカ１７から所定周波数の第１の音声を発生させ、この音声をマイク１５で取り込む。そして、制御部２２は、音声処理部３０に、音声レベルと残響時間（第１の音声が一定のレベル以下に減衰するまでの時間）とを測定させる。また、制御部２２は、バイブモータ１８を駆動した際に生じる第２の音声をマイク１５で取り込んで、音声処理部３０により音声レベルを測定させる。さらに、制御部２２は、外部からの入力ノイズである第３の音声をマイク１５で取り込んで、音声処理部３０により音声レベルを測定させる。これにより、周囲環境判断部は、音声処理部３０による測定結果と、記憶部２４に記憶されている基準値（閾値）とを比較することで、周囲環境を判断する。
【００２７】
また、制御部２２の周囲環境判断部２２ａは、フーリエ変換やフーリエ級数を使って関数を周波数成分に分解することによって得られた周波数特性に基づいて、周囲環境を判断することもできる。すなわち、制御部２２は、スピーカ１７から周波数の異なる複数の音声を発生させ、マイク１５で取り込んで、音声処理部３０で周波数成分に分解することにより、周波数特性が得られる。周囲環境判断部２２ａは、得られた周波数特性と、記憶部２４に記憶されている周囲環境毎の周波数特性と比較し、最も周波数特性が類似しているものを周囲環境と判断する。
【００２８】
さらに、周囲環境判断部２２ａは、周囲環境毎に異なる第１から第３の音声の音声レベルの大小関係に基づいて周囲環境を判断することもできる。すなわち、周囲環境判断部２２ａは、音声処理部３０で測定された第１から第３の音声の音声レベルの大小関係と、記憶部２４に記憶されている周囲環境毎の各音声間の音声レベルの大小関係とを比較し、音声レベルの大小関係が最も類似しているものを周囲環境と判断する。
【００２９】
洗浄制御部２２ｂは、タッチパネル１２および入力部１３で検出する操作や周囲環境判断部２２ａでの判断結果に基づいて、洗浄モード（クリーニングモード）であるか通常モード（操作検出モード、画像表示モード）であるかを判定する。洗浄制御部２２ｂは、通常モードであると判定した場合、制御部２２の他の制御機能により各部の動作を制御させる状態を維持する。また、洗浄制御部２２ｂは、洗浄モードであると判定した場合、タッチパネル１２の駆動を制御して、タッチパネル１２を超音波駆動し、タッチパネル１２の表面および筐体１１を洗浄する洗浄動作を実行させる。洗浄制御部２２ｂによる洗浄動作の制御については、後述する。
【００３０】
なお、制御部２２は、周囲環境判断部２２ａと洗浄制御部２２ｂとの機能を、アプリケーションプログラムを処理することによって実現しても、予め専用の回路を構成しこの回路を処理することにより実現してもよい。制御部２２は、上記以外の制御機能（アプリケーションプログラム）以外にも各種機能を備えている。制御部２２は、タッチパネル１２の表示部１２Ｂに表示させる画像や、タッチセンサ１２Ａでの検出動作を制御する制御機能も備える。また、制御部２２は、各種ゲームを作動させるゲームアプリケーションプログラム等がある。
【００３１】
記憶部２４には、制御部２２での処理に利用されるソフトウェアやデータが保存されており、音声処理部３０により測定された測定結果と比較して周囲環境を判断するためのテーブル情報等が保存されている。また、タッチパネル１２の各部を制御するアプリケーションプログラムを作動させるタスクや、各種ゲームアプリケーションプログラムを作動させるタスクなども保存されている。 
【００３２】
また、記憶部２４には、これらのタスク以外にも、例えば、通信、ダウンロードされた音声データ、あるいは記憶部２４に対する制御に制御部２２が用いるソフトウェア、通信相手の電話番号やメールアドレス等を保存し、管理するアドレス帳、発信音や着信音等の音声ファイル、ソフトウェアの処理過程で用いられる一時的なデータ等が保存されている。なお、ソフトウェアの処理過程で用いられるコンピュータプログラムや一時的なデータは、制御部２２によって記憶部２４に割り当てられた作業領域へ一時的に保存される。記憶部２４は、例えば、不揮発性の記憶デバイス（ＲＯＭ：Read  Only  Memory等の不揮発性半導体メモリ、ハードディスク装置等）や、読み書き可能な記憶デバイス（例えば、ＳＲＡＭ：Static  Random  Access  Memory、ＤＲＡＭ：Dynamic  Random  Access  Memory）等で構成される。
【００３３】
送受信部２６は、アンテナ２６ａを有し、基地局によって割り当てられるチャネルを介し、基地局との間でＣＤＭＡ方式などによる無線信号回線を確立し、基地局との間で電話通信及び情報通信を行う。 
【００３４】
音声処理部３０は、マイク１５に入力される音声信号、レシーバ１６やスピーカ１７から出力される音声信号の処理を実行する。すなわち、音声処理部３０は、マイク１５から入力される音声を増幅し、ＡＤ変換（Analog  Digital変換）を実行した後、さらに符号化等の信号処理を施して、ディジタルの音声データに変換して制御部２２へ出力する。また、制御部２２から送られる音声データに対して復号化、ＤＡ変換（Digital  Analog変換）、増幅等の処理を施してアナログの音声信号に変換してから、レシーバ１６やスピーカ１７へ出力する。
【００３５】
バイブモータ１８は、一般的にはマナーモード設定時に着信通知などを振動で知らせるものである。しかし、本実施形態のバイブモータ１８は、周囲環境を判断する際の一手段として使用される。つまり、警戒モードが設定されると、制御部２２は、バイブモータ１８を駆動して筐体１１を振動させ、振動から生じる音声をマイク１５で取り込み、音声処理部３０で音声処理を行い、音声レベルを測定するように制御する。
【００３６】
携帯電子機器１０は、基本的に以上のように構成されている。本実施形態に係る携帯電子機器１０は、このように既存のデバイスのみで構成されているので、新たなデバイスを追加することなく、低コストで周囲環境が判断できる有利な点がある。
【００３７】
次に、図３および図４を用いてタッチセンサ１２Ａの構成について説明する。図３は、タッチセンサの概略構成を示す模式図であり、図４は、タッチセンサの接触検出部の概略構成を示す模式図である。図３に示すようにタッチセンサ１２Ａは、抵抗膜式のタッチセンサであり、検出素子となる接触検出部５０と、制御部２２の制御に基づいて接触検出部５０の駆動動作、検出動作を制御するセンサ制御部５１と、を有する。
【００３８】
接触検出部５０は、図４に示すように、可撓性フィルム５２と、第１導電膜５３と、ガラス板５４と、第２導電膜５５と、ドットスペーサ５９と、貼合材６０と、を含む。以下、ユーザーの人体の一部（例えば指）や、それ以外の物（例えばペン）を、入力手段Ｘという。接触検出部５０は、外側から内側（図１に示す筐体１１の内部側）に向かって順に、可撓性フィルム５２と、第１導電膜５３と、貼合材６０と、第２導電膜５５と、ガラス板５４とが積層される。
【００３９】
可撓性フィルム５２は、光を透過する薄膜であり、入力手段から力を受けると撓む。第１導電膜５３及び第２導電膜５５は、ＩＴＯ（Indium  Tin  Oxide）膜である。第１導電膜５３は、図３及び図４に示すようにＸ方向で対向する２つの電極５６ａ、５６ｂを含む。なお、本実施形態では、電極５６ａがプラス電極（以下プラス電極５６ａともいう。）となり、電極５６ｂがマイナス電極（以下マイナス電極５６ｂともいう。）となる。また、第２導電膜５５は、図３及び図４に示すようにＹ方向で対向する２つの電極５８ａ、５８ｂを含む。なお、本実施形態では、電極５８ａがプラス電極（以下プラス電極５８ａともいう。）となり、電極５８ｂがマイナス電極（以下マイナス電極５８ｂともいう。）となる。貼合材６０は、第１導電膜５３と第２導電膜５５とを接着すると共に、第１導電膜５３と第２導電膜５５との間に隙間を確保する。ガラス板５４は、光を透過する板状部材であり、可撓性フィルム５２よりも変形しにくい部材である。ドットスペーサ５９は、第１導電膜５３と第２導電膜５５との間に設けられて、第１導電膜５３と第２導電膜５５との間の隙間を確保する。なお、接触検出５０の第１導電膜５３と第２導電膜５５とは、電極５６と電極５８とがセンサ制御部５１と接続している。
【００４０】
センサ制御部５１は、検出駆動回路６２と制御回路６４と接続部６６とを有する。検出駆動回路６２は、接触検出部５０の第１導電膜５３のプラス電極５６ａ及びマイナス電極５６ｂと第２導電膜５５のプラス電極５８ａおよびマイナス電極５８ｂに電圧を印加する。また、検出駆動回路６２は、第１導電膜５３のプラス電極５６ａとマイナス電極５６ｂとの間に生じた電圧、第２導電膜５５のプラス電極５８ａとマイナス電極５８ｂとの間に生じた電圧を検出する。検出駆動回路６２は、検出した電圧の情報を制御回路６４に送る。また検出駆動回路６２は、電圧電源と接続しており、電圧電源から供給される電圧を接触検出部５０のどの電極に供給するかを切り換えることで接触検出部５０の動作を制御する。
【００４１】
制御回路６４は、接続部６６を介して制御部２２と接続されており、制御部２２から出力される指示に基づいて検出駆動回路６２の動作を制御し、検出駆動回路６２で検出した情報を取得する。接続部６６は、入出力ポートであり、制御回路６４と制御部２２とを接続し情報の送受信（伝送）を行う。
【００４２】
次に、タッチセンサ１２Ａによる接触の検出動作について説明する。タッチセンサ１２Ａは、プラス電極５６ａに電圧が印加されている際に入力手段によって入力点が押されると、第２導電膜５５のプラス電極５８ａとマイナス電極５８ｂとの間に電圧が生じる。この時、第２導電膜５５は、入力点のＸ方向の位置（座標）に対応して、プラス電極５８ａとマイナス電極５８ｂとの間に生じる電圧が変化する。これは、プラス電極５６ａとマイナス電極５６ｂとの間に印加された電圧が抵抗分割によって分圧されるためである。検出駆動回路６２は、プラス電極５６ａに電圧が印加されている際にプラス電極５８ａとマイナス電極５８ｂとの間に生じた電圧を取得することで、入力点ＰのＸ方向の位置（座標）を取得する。
【００４３】
また、タッチセンサ１２Ａは、プラス電極５８ａに電圧が印加されている際に入力手段によって入力点が押されると、第１導電膜５３のプラス電極５６ａとマイナス電極５６ｂとの間に電圧が生じる。この時、第１導電膜５３は、入力点のＹ方向の位置（座標）に対応して、プラス電極５６ａとマイナス電極５６ｂとの間に生じる電圧が変化する。これは、プラス電極５８ａとマイナス電極５６ｂとの間に印加された電圧が抵抗分割によって分圧されるためである。センサ制御部５１の検出駆動回路６２は、プラス電極５８ａに電圧が印加されている際にプラス電極５６ａとマイナス電極５６ｂとの間に生じた電圧を取得することで、入力点のＹ方向の位置（座標）を取得する。
【００４４】
また、タッチセンサ１２Ａは、プラス電極５６ａとプラス電極５８ａとの一方に電圧が印加されている際に入力手段によって入力点が押されると、第１導電膜５３と第２導電膜５５との間に接触抵抗が生じる。この接触抵抗は、入力点に生じる圧力の大きさに対応する。具体的には、入力点Ｐに生じる圧力が大きくなるほど、第１導電膜５３と第２導電膜５５との間に生じる接触抵抗が小さくなる。検出駆動回路６２は、第１導電膜５３と第２導電膜５５との間に生じる接触抵抗を取得する。
【００４５】
本実施形態の携帯電子機器１０は、制御部２２の洗浄制御部２２ｂで洗浄モードを実行すると判定したら、タッチセンサ１２Ａを駆動してタッチパネル１２および筐体１１の洗浄を行う。なお、携帯電子機器１０は、制御部２２の洗浄制御部２２ｂで洗浄モードを実行しないと判定したら、通常モードでタッチセンサ１２Ａを駆動し、上述した処理でユーザーによって入力される操作の検出を行う。
【００４６】
ここで、図５および図６は、それぞれ洗浄モードでのタッチセンサの駆動方法の一例を示す説明図である。図５および図６のそれぞれ右側の２つのグラフは、上のグラフが第１導電膜５３の電位と時間との関係を示すグラフであり、下のグラフが第２導電膜５５の電位と時間との関係を示すグラフである。なお、図５および図６に示す駆動は、筐体１１を水につけた状態、つまり携帯電子機器１０が水中にある状態で実行される。タッチセンサ１２Ａは、制御部２２の洗浄制御部２２ｂで洗浄モードを実行すると判定され、洗浄を実行する指示が入力された場合、第１導電膜５３と第２導電膜５５との間の電位差が周期的に変化するように、プラス電極５６ａとマイナス電極５６ｂとプラス電極５８ａとマイナス電極５８ｂとに電圧を印加する。
【００４７】
例えば、タッチパネル１２は、図５に示すように、プラス電極５６ａとマイナス電極５６ｂとに周期的に変化する電圧を印加し、第１導電膜５３の電位を正の方向に変化させる。具体的には、電位０から一定の正の電位まで変化させその後電位０とする。タッチセンサ１２Ａは、第１導電膜５３の電位が０となったら、プラス電極５８ａとマイナス電極５８ｂとに周期的に変化する電圧を印加し、第２導電膜５５の電位を負の方向に変化させる。具体的には、電位０から一定の負の電位まで変化させその後電位０とする。また、タッチセンサ１２Ａは、第２導電膜５５の電位が０となったら、第１導電膜５３の電位を上述と同様に変化させる。
【００４８】
タッチセンサ１２Ａは、以上のように、第１導電膜５３にプラス電圧、第２導電膜５５にマイナス電圧を交互にかけ、第１導電膜５３と第２導電膜５５との間の電位を周期的に変化させることで、つまり交流駆動することで、圧電効果により第１導電膜５３と第２導電膜５５とを振動させることができる。また、第１導電膜５３と第２導電膜５５とを振動させることで、当該振動が伝達する可撓性フィルム５２やガラス板５４も振動させることができる。
【００４９】
また、タッチセンサ１２Ａは、図６に示すように、プラス電極５６ａとマイナス電極５６ｂとに印加する電圧の位相と、プラス電極５８ａとマイナス電極５８ｂとに印加する電圧の位相と、を逆位相とし、第１導電膜５３の電圧と第２導電膜５５の電圧とが逆位相で変化するように印加する電圧を変化させてもよい。このように、電圧を逆位相で変化させることで、第１導電膜５３と第２導電膜５５との電位差を、電源電圧の倍の振幅の電位差とすることができる。これにより、同一の電源電圧を用いる場合でも、逆位相で電圧を印加することで、図５に示す場合よりも振動を大きくすることができる。
【００５０】
ここで、タッチセンサ１２Ａは、検出駆動回路６２により、第１導電膜５３と第２導電膜５５とに印加する電圧の周波数を調整することができる。つまり、印加する電圧を周期的に変化させる周波数を変化させることができる。タッチセンサ１２Ａは、超音波帯域の周波数の電圧を印加することが好ましい。タッチセンサ１２Ａは、超音波帯域の周波数の電圧を印加することにより、つまり、印加する電圧を超音波帯域の周波数で周期的に変化させることで、タッチセンサ１２Ａを超音波振動させることができる。
【００５１】
携帯電子機器１０は、このように、洗浄モードが実行される場合、タッチパネル１２のタッチセンサ１２Ａに印加する電圧を制御し、つまり交流駆動し、タッチセンサ１２Ａの第１導電膜５３と第２導電膜５５とを振動させることで、付着物等が発生しているタッチセンサ１２Ａの表面（タッチパネル１２の表面）を直接振動させることができる。これにより、タッチセンサ１２Ａの表面（タッチパネル１２の表面）に付着している汚れを簡単かつ適切に除去、低減することができる。
【００５２】
また、携帯電子機器１０は、既存のタッチセンサ１２Ａの構成に、タッチセンサ１２Ａを振動させるための制御を実行する制御回路またはプログラムを搭載することで実現することができる。これにより既存の形態電子機器１０の装置を有効に活用しつつ、タッチパネル１２の表面の汚れを適切に除去、低減することができる。
【００５３】
ここで、携帯電子機器１０は、タッチセンサ１２Ａの第１導電膜５３と第２導電膜５５とに超音波帯域の周波数の電圧を印加し、タッチセンサ１２Ａを超音波振動させることで、タッチパネル１２の汚れをより適切に除去、低減することができる。
【００５４】
ここで、図７は、周波数と強度とキャビテーションとの関係を示すグラフである。図７は横軸を周波数［Ｈｚ］とし、縦軸を超音波強度［Ｗ／ｃｍ２］とした。また、図７に示す線７０は、空気で飽和した水の場合にキャビテーションを発生させるための超音波強度と周波数との閾値を示し、線７２は、脱気した水の場合にキャビテーションを発生させるための超音波強度と周波数との閾値を示している。図７に示すように、振動の周波数を１０ｋＨｚ以上とすることで、一定強度の以上の超音波強度でのキャビテーションを発生させることができる。これにより、振動の周波数を１０ｋＨｚ以上とすることでタッチパネル１２の表面の汚れを適切に除去、低減することができる。また、振動の周波数は、１０ｋＨｚ以上１００ｋＨｚ以下の比較的低周波の超音波とすることが好ましい。振動の周波数を上記範囲にすることで、比較的大きく頑固な汚れを効果に除去、低減することができる。また、超音波強度の設定値を１Ｗとする場合、５０ｍＡの電流でタッチセンサを駆動させていると仮定すると、２０Ｖを印加することで、設定値の超音波強度を出力することができる。したがって、電源電圧としては通常用いる電源を用いることができる。
【００５５】
また、洗浄モードのタッチセンサ１２Ａに供給する電流、電圧、電圧を変調する周波数は、通常モードでタッチセンサ１２Ａに供給する電流、電圧、電圧を変調する周波数とは異なる範囲の値とすることが好ましい。これにより、洗浄モード以外でタッチセンサ１２Ａが振動することを抑制することができる。また、洗浄モードのタッチセンサ１２Ａに供給する電流、電圧は、通常モードで使用する電流、電圧、電圧を変調する周波数とは異なる値の中から、振動が大きくなる電流、電圧、電圧を変調する周波数を携帯電子機器毎に実験的に求め、実験等で求めた値を用いるようにしてもよい。このように機器毎に適切な条件を実験等で算出し、算出した値を用いることで、タッチパネル１２の汚れをより適切に除去、低減することができる。
【００５６】
なお、制御部２２は、洗浄モードを選択した場合、通常モード（操作検出モード）よりも高い周波数で交流駆動することが好ましい。つまり、洗浄モードで使用する電圧を変調する周波数は、通常モードで使用する電圧を変調する周波数よりも高い周波数とすることが好ましい。また、制御部２２は、洗浄モードを選択した場合、通常モード（操作検出モード）よりも高い電圧で交流駆動することが好ましい。つまり、洗浄モードで使用する電圧は、通常モードで使用する電圧よりも高い電圧とすることが好ましい。これにより、通常モードでは、低電圧および低周波数の少なくとも一方で駆動し、洗浄モードの場合は、高電圧および高周波数の少なくとも一方で駆動することができる。これにより、各モードに対応した条件とすることができ、また、より長時間使用する通常モードを低電圧および低周波数の少なくとも一方とすることができるため、使用する電力を低減することができる。
【００５７】
また、タッチセンサ１２Ａは、洗浄モードの場合、検出駆動回路６２と制御回路６４とを、検出駆動回路６２の接触を検出する回路のＡＤＣ（アナログ／デジタル変換器）を通過しない別系統で接続することが好ましい。これにより、タッチセンサ１２Ａを振動させるために供給している電圧がＡＤＣに悪影響を与えることを抑制できる。
【００５８】
ここで、上記実施形態では、タッチセンサ１２Ａとして抵抗膜式のタッチセンサを用いた場合としたがこれに限定されない。タッチセンサを投影型静電容量式タッチセンサとした場合も同様である。
【００５９】
以下、図８および図９を用いて、タッチセンサの他の実施形態について説明する。図８は、タッチセンサの他の実施形態の概略構成を示す模式図である。図９は、タッチセンサの他の実施形態の接触検出部の概略構成を示す模式図である。図８に示すようにタッチセンサ１２Ａは、静電容量型のタッチセンサであり、検出素子となるパネル部８２と、制御部２２の制御に基づいてパネル部８２の駆動動作、検出動作を制御するセンサ制御部８３と、を有する。
【００６０】
パネル部８２は、図９に示すように、絶縁体フィルム８２Ａと、第１電極層８２Ｂと、第２電極層８２Ｃと、を含む。パネル部８２は、外側から内側（図１に示す筐体１１の内部側）に向かって順に、絶縁体フィルム８２Ａと、第１電極層８２Ｂと、第２電極層８２Ｃと、が積層されている。絶縁体フィルム８２Ａは、光を透過する薄膜であり、筐体１１の外側、つまり接触面と第１電極層８２Ｂとの間を絶縁している。第１電極層８２Ｂは、ガラスやプラスチックなどの基板上に多数のモザイク状電極パターンが形成されている。第２電極層８２Ｃも、ガラスやプラスチックなどの基板上に多数のモザイク状電極パターンが形成されている。なお、第１電極層８２Ｂと第２電極層８２Ｃの電極パターンは、ＩＴＯ等の透明電極で形成されている。つまり、第１電極層８２Ｂと第２電極層８２Ｃの見た目は、透明な板である。また、第１電極層８２Ｂの電極パターンと、第２電極層８２Ｃの電極パターンとは、直交する方向に経形成されている。例えば、第１電極層８２Ｂの電極パターンがＹ方向に延在するパターンの場合、第２電極層８２Ｃの電極パターンは、Ｘ方向に延在するパターンとなる。これにより、パネル部８２は、直交する２方向における位置を検出することができる。
【００６１】
センサ制御部８３は、駆動回路８４と検出回路８６と制御回路８８と接続部８９とを有する。駆動回路８４は、第１電極層８２Ｂと第２電極層８２Ｃのそれぞれに電圧を印加する。駆動回路８４は、電圧電源と接続しており、第１電極層８２Ｂを構成するパターン、第２電極層８２Ｃを構成するパターンのいずれの電極に電圧電源から供給される電圧を供給するかを切り換える。検出回路８６は、第１電極層８２Ｂを構成する電極の静電容量の変化、第２電極層８２Ｃを構成する電極の静電容量の変化を検出する。検出回路８６は、検出した静電容量の変化の情報を制御回路８８に送る。
【００６２】
制御回路８８は、接続部８９を介して制御部２２と接続されており、制御部２２から出力される指示に基づいて駆動回路８４および検出回路８６の動作を制御し、検出回路８６で検出した情報を取得する。接続部８９は、入出力ポートであり、制御回路８８と制御部２２とを接続し情報の送受信（伝送）を行う。
【００６３】
次に、タッチセンサ８０による接触の検出動作について説明する。タッチセンサ８０は、絶縁体フィルム８２Ａの表面のいずれかの位置に指等が接触すると、第１電極層８２Ｂと第２電極層８２Ｃのそれぞれで、指等が触れることで生じる接触点付近での静電容量の変化を検出する。具体的には、タッチセンサ８０は、第１電極層８２Ｂを駆動側として時系列的に交流電圧を印加する（スキャンする）。このとき第２電極層８２Ｃは、検出側として検出回路８６で放電時間の変化時間を検出することで、指等で押下されてコンデンサの放電時間が変化する位置を検出する。また、タッチセンサ８０は、第１電極層８２Ｂと第２電極層８２Ｃとの駆動側と検出側を入れ替えて、それぞれの軸方向における位置を検出する。ここで、第１電極層８２Ｂの電極パターンをＹ方向に延在するパターンとする場合、第１電極層８２Ｂは、静電容量が変化した電極の位置に基づいて、Ｘ方向における位置を検出する。この場合、第２電極層８２Ｃの電極パターンはＹ方向に延在するパターンとなるため、第２電極層８２Ｃは、静電容量が変化した電極の位置に基づいて、Ｙ方向における位置を検出する。これにより、タッチセンサ８０は、Ｘ方向、Ｙ方向の夫々における接触位置を検出し、タッチセンサ８０の平面上における接触位置を検出する。このようにしても検出することができる。また、タッチセンサ８０は、複数点での接触も検出することができる。
【００６４】
次に、タッチセンサ８０の洗浄モードでの動作について説明する。ここで、図１０は、洗浄モードでのタッチセンサの駆動方法の一例を示す説明図である。図１０の２つのグラフは、上のグラフが第１電極層８２Ｂの電位と時間との関係を示すグラフであり、下のグラフが第２電極層８２Ｃの電位と時間との関係を示すグラフである。タッチセンサ８０は、図１０に示すように、第１電極層８２Ｂに印加する電圧の位相と、第２電極層８２Ｃに印加する電圧の位相と、を逆位相とし、第１電極層８２Ｂの電圧と第２電極層８２Ｃの電圧とが逆位相で変化するように印加する電圧を変化させる。なお、タッチセンサ８０は、第１電極層８２Ｂを構成する電極パターンの全域に同一の電圧を印加し、第２電極層８２Ｃを構成する電極パターンの全域に同一の電圧を印加する。
【００６５】
タッチセンサ８０は、このように、第１電極層８２Ｂと第２電極層８２Ｃに位相が異なる電圧を印加し、第１電極層８２Ｂと第２電極層８２Ｃとの間の電位を周期的に変化させることで、つまり交流駆動することで、圧電効果により第１電極層８２Ｂと第２電極層８２Ｃとを振動させることができる。また、第１電極層８２Ｂと第２電極層８２Ｃとを振動させることで、当該振動が伝達する絶縁体フィルム８２Ａも振動させることができる。このように、タッチセンサ８０のように、静電容量式のタッチセンサを用いた場合でも、交流駆動することで、タッチセンサ８０を振動させることができる。これにより、タッチセンサ８０の表面に付着している汚れを簡単かつ適切に除去、低減することができる。静電容量式のタッチパネルは、接触の検出に用いる場合通常電圧を全てのパターンに共通で印加しないが、回路構成をまたはプログラムを変更することで、実現することができる。
【００６６】
ここで、タッチセンサ８０も超音波の周波数で交流駆動することが好ましいことは上述と同様である。また、電圧を逆位相で変化させることで、第１電極層８２Ｂと第２電極層８２Ｃとの電位差を、電源電圧の倍の振幅の電位差とすることができる。これにより、同一の電源電圧を用いる場合でも、逆位相で電圧を印加することで、振動を大きくすることができる。
【００６７】
また、タッチセンサ１２Ａは、検出駆動回路６２により、第１導電膜５３と第２導電膜５５とに印加する電圧の周波数を調整することができる。つまり、印加する電圧を周期的に変化させる周波数を変化させることができる。タッチセンサ１２Ａは、超音波帯域の周波数の電圧を印加することが好ましい。タッチセンサ１２Ａは、超音波帯域の周波数の電圧を印加することにより、つまり、印加する電圧を超音波帯域の周波数で周期的に変化させることで、タッチセンサ１２Ａを超音波振動させることができる
【００６８】
また、上記実施形態では、タッチセンサ１２Ａを振動させる場合として説明したが、表示部を振動させるようにしてもよい。なお、表示部を振動させる構成の場合、当該表示部は、タッチパネルの表示部に限定されず、タッチセンサを備えない表示部とすることもできる。
【００６９】
ここで、図１１は、タッチセンサの表示部の概略構成を示す模式図である。図１１に示す表示部９０は、ＬＣＤ（液晶表示ディスプレイ、Liquid  Crystal  Display）であり、保護プレート９１と、液晶ユニット９２と、パネル駆動部１０２と、を有する。なお図示は省略したが、液晶ユニットの背面には、光源および導光部材とで構成される照明部が配置される。また、パネル駆動部１０２は、液晶ユニット９２の駆動を制御する演算回路である。保護プレート９１は、液晶ユニット９２を保護する透明な板状の部材である。保護プレート９１は、所定の剛性を備え、ガラス、プラスチック等で構成される。
【００７０】
液晶ユニット９２は、偏光板９３と、ガラス基板９４と、カラーフィルタ９５と、第１電極層９６と、液晶層９７と、第２電極層９８と、ガラス基板９９と、偏光板１００と、を含む。液晶ユニット９２は、外側から内側（図１に示す筐体１１の内部側）に向かって順に、偏光板９３と、ガラス基板９４と、カラーフィルタ９５と、第１電極層９６と、液晶層９７と、第２電極層９８と、ガラス基板９９と、偏光板１００とが積層される。
【００７１】
偏光板９３と偏光板１００とは、光を偏向する部材である。ガラス基板９４は、透明の板状部材であり、一方の面カラーフィルタ９５が形成されている。カラーフィルタ９５の表面には第１電極層９６が形成されている。他方の面にカラーフィルタ９５が形成されている。また、ガラス基板９９は、透明の板状部材であり、一方の面に第２電極層９８が形成され、他方の面に偏光板１００が形成されている。また、液晶層９７は、第１電極層９６と第２電極層９８とで挟まれている。液晶層９７は、２枚の配向膜で挟まれた空間に液晶が充填されている。また、２枚の配向膜の間にはスペーサも配置されている。液晶層９７に充填されている液晶は、第１電極層９６と第２電極層９８とから電圧を印加されるか否かで、光を透過する状態と光を透過しない状態とに変化する。第１電極層９６と第２電極層９８とは、液晶層のセル（画素）に対応するパターンが形成されており、パターンを構成する画素毎に印加する電圧を変えることができる。
【００７２】
表示部９０は、以上のような構成であり、パネル駆動部１０２が制御部２２から供給される画像信号に基づいて、第１電極層９６と第２電極層９８のそれぞれの画素に印加する電圧を切り換え、液晶層の状態を制御することで、表示制御を行う。
【００７３】
本実施形態の携帯電子機器１０は、制御部２２の洗浄制御部２２ｂで洗浄モードを実行すると判定したら、表示部９０を駆動して表示部９０を振動させることもできる。具体的には、上述したタッチセンサの場合と同様で、第１電極層９６の全面に交流電圧を印加し、第２電極層９８の全面に第１電極層９６に印加する電圧とは異なる位相の交流電圧を印加し、第１電極層９６と第２電極層９８との間の電位差を変化させる。これにより、表示部９０は、圧電効果により、第１電極層９６と第２電極層９８とが振動する。また、液晶ユニット９２を振動させることで保護パネルも振動させることができる。このように、タッチセンサに変えて表示部９０を振動させることでも上記と同様の効果を得ることができる。
【００７４】
ここで、図１２は、表示部の他の実施形態の概略構成を示す模式図である。表示部９０は、図１２に示すように、液晶ユニット９２と保護プレート９１とを容量結合することが好ましい。これにより、液晶ユニット９２よりも表面側に配置された保護プレート９１に好適に振動を伝達することができ、表面に露出している保護プレート９１を振動させ、汚れを除去、低減することができる。なお、保護プレート９１と液晶ユニット９２との間は、空間がなく接着されていても、空間があってもよい。また、保護プレート９１は、アクリルやポリカーボネイト等の薄い合成樹脂が用いられることが好ましい。これにより保護プレート９１と導電性がなくても静電気を帯びやすい液晶ユニット９２とを適切に容量結合（容量性カップリング）することができる。
【００７５】
なお、図１２でた、液晶ユニットと保護プレートと容量結合したが、表示部の表示面側にタッチセンサを配置する場合、表示部の液晶ユニットとタッチセンサとを容量結合するようにしてもよい。これにより、表示部を振動させることで表面側のタッチセンサも適切に振動させることができる。
【００７６】
次に、図１３を用いて、携帯電子機器の洗浄モードにおける処理動作について説明する。ここで、図１３は、携帯電子機器の動作の一例を示すフロー図である。なお、携帯電子機器１０は、ユーザーが操作を行うことで、洗浄モードを実行する。携帯電子機器１０は、ユーザーが選択モードの実行を選択したら、図１３に示す処理を開始する。なお、図１３に示す処理は、基本的に制御部２２が周囲環境判断部２２ａと洗浄制御部２２ｂで種々の処理を実行することで実現される。携帯電子機器の制御部２２は、周囲環境判断部２２ａで処理を行うことで、水中にいるかを判定し、水中にいると判定したら洗浄制御部２２ｂによりタッチパネルを振動させ洗浄を行う。
【００７７】
携帯電子機器１０の制御部２２は、ステップＳ１２として、ユーザーに通知する。具体的には、選択モードを実行するために携帯電子機器１０を水の中に入れること旨をユーザーに通知する。より具体的には、「水を張った容器に入れてください」等のメッセージを表示または音声出力する。また、水に洗剤を投入する旨や表示画面が完全に水没するように旨の指示を表示あるいは音声出力してもよい。
【００７８】
制御部２２は、ステップＳ１２で通知を行ったら、ステップＳ１４としてスピーカ１７より音出力を行い、マイク１５の入力を開始する。つまり、スピーカ１７から音を出力する処理を開始し、マイク１５で音を検出する処理を開始する。なお、制御部２２は、スピーカ１７からマイク１５で検出可能な音を出力する。また、音はレシーバ１６から出力してもよい。また、スピーカ１７から出力する音は、連続でも断続的にでもよく、ステップＳ１２で通知に用いる音でもよい。
【００７９】
制御部２２は、ステップＳ１４の処理を行ったら、ステップＳ１６として、カウンタ＜Ｐ＞のカウントを開始する。なお、カウンタ＜Ｐ＞は、ステップＳ１６では０である。制御部２２は、ステップＳ１６でカウントを開始したら、ステップＳ１８としてマイク入力レベル≦空気中レベルであるかを判定する。制御部２２は、ステップＳ１８の判定を周囲環境判断部２２ａにより判定を行う。
【００８０】
図１４から図１６に示すテーブルを用いて、周囲環境判断部２２ａにより筐体１１の周囲環境を判断する例、具体的には、水中にいるか空気中にいるかを判断する例について説明する。ここで、図１４から図１６は、測定値と基準値（閾値）との比較結果を示す図であり、３種類の測定値に対してそれぞれ１つずつ定められた閾値と比較することにより、周囲環境が外（屋外）か水中かを判断するテーブルである。
【００８１】
まず、周囲環境判断部２２ａは、図１４に示すように、音声処理部３０の測定結果である残響時間（Ｔｒｘ）と、記憶部２４から読み出した閾値（Ｔｒｔｈ）とを比較する。これは、スピーカ１７から発した所定周波数の音声（自発音）をマイク１５で取り込む際に、周囲環境によって残響時間が変化することを利用したものである。外では、発した音声が拡散し易いため、減衰率が高く、残響時間が短くなる。水中では、外ほど音声が拡散しないため、外に比べて残響時間が長くなる。周囲環境判断部２２ａは、記憶部２４に記憶された両環境を判別するための閾値（Ｔｒｔｈ）を読み出して比較する。つまり、周囲環境判断部２２ａは、測定値の残響時間（Ｔｒｘ）が閾値（Ｔｒｔｈ）と同じか閾値よりも小さい場合、外と判断する。逆に、周囲環境判断部２２ａは、測定値の残響時間（Ｔｒｘ）が閾値（Ｔｒｔｈ）よりも大きい場合、水中と判断する。
【００８２】
また、周囲環境判断部２２ａは、図１５に示すように、音声処理部３０の測定結果である入力ノイズレベル（Ｎｘ）と、記憶部２４から読み出した閾値（Ｎｔｈ）とを比較する。これは、外部から入力されるノイズ音をマイク１５で取り込むため、外部ノイズの多い環境か否かによって周囲環境を判断するものである。外では、風の音、都会の雑踏、動物の鳴き声などの入力ノイズが溢れているため、ノイズレベルが高くなる。水中では、外ほど入力ノイズが多くないため、外に比べてノイズレベルが低くなる。周囲環境判断部２２ａは、記憶部２４に記憶された両環境を判別するための閾値（Ｎｔｈ）を読み出して比較する。つまり、周囲環境判断部２２ａは、測定値の入力ノイズレベル（Ｎｘ）が閾値（Ｎｔｈ）と同じか閾値よりも小さい場合、水中と判断する。逆に、周囲環境判断部２２ａは、測定値の入力ノイズレベル（Ｎｘ）が閾値（Ｎｔｈ）よりも大きい場合、外と判断する。
【００８３】
また、周囲環境判断部２２ａは、図１６に示すように、音声処理部の測定結果であるバイブ音レベル（Ｖｘ）と、記憶部２４から読み出した閾値（Ｖｔｈ）とを比較する。これは、バイブモータ１８の振動から発したバイブ音をマイク１５で取り込むため、バイブ音以外の音が溢れているか否か、またバイブ音が伝わり易いか否かによって周囲環境を判断するものである。外では入力ノイズが溢れているため、バイブ音レベルが低く検出される。水中では、外ほど入力ノイズが多くなく、バイブ音が伝わり易いため、外に比べてバイブ音レベルが高く検出される。周囲環境判断部２２ａは、記憶部２４に記憶された両環境を判別するための閾値（Ｖｔｈ）を読み出して比較する。つまり、周囲環境判断部２２ａは、測定値の入力ノイズレベル（Ｖｘ）が閾値（Ｖｔｈ）と同じか閾値よりも小さい場合、外と判断する。逆に、周囲環境判断部２２ａは、測定値の入力ノイズレベル（Ｖｘ）が閾値（Ｖｔｈ）よりも大きい場合、水中と判断する。
【００８４】
図１３に戻り説明を続ける。制御部２２は、ステップＳ１８でマイク入力レベル≦空気中レベルではない（Ｎｏ）、マイク入力レベルが閾値より大きく携帯電子機器１０が水中にいないと判定したら、ステップＳ２０としてカウンタをカウントアップするかを判定する。なお、制御部２２は、カウンタ＜Ｐ＞のＰが一定値以上のとなった場合、カウントアップを行わない判定する。制御部２２は、ステップＳ２０でカウントアップする（Ｙｅｓ）と判定したら、ステップＳ２２としてカウンタ＜Ｐ＞のＰをＰ＋１とする。つまりカウンタ＜Ｐ＞のカウントをアップさせる。その後制御部２２は、ステップＳ１８に進む。
【００８５】
制御部２２は、ステップＳ２０でカウントアップしない（Ｎｏ）と判定したら、ステップＳ２３としてユーザーに通知して、本処理を終了する。なおユーザーへの通知としては、携帯電子機器１０が水中にあることが確認できなかったため、洗浄処理を中止することを示すメッセージを表示または音声出力する。
【００８６】
制御部２２は、ステップＳ１８でマイク入力レベル≦空気中レベルである（Ｙｅｓ）、つまりマイク入力レベルが閾値以下であり携帯電子機器１０が水中にあると判定したら、ステップＳ２４として、カウンタ＜Ｐ＞のカウントをクリアし、つまりカウンタ＜Ｐ＞のカウントを０とする。その後制御部２２は、ステップＳ２６として、クリーニング動作（洗浄動作）を開始する。つまり、制御部２２は、洗浄制御部２２ｂによりタッチパネル１２の動作を制御し、上述したようにタッチパネル１２を振動、より好ましくは超音波周波数位置で振動させる。
【００８７】
制御部２２は、ステップＳ２６でクリーニング動作を開始したら、ステップＳ２８として、カウンタ＜Ｃ＞のカウントを開始する。なお、カウンタ＜Ｃ＞は、ステップＳ２８では０である。なお、制御部２２は、ステップＳ２８でカウントを開始したら、ステップＳ３０としてマイク入力レベル≦空気中レベルであるかを判定する。制御部２２は、ステップＳ３０の判定を周囲環境判断部２２ａにより判定を行う。
【００８８】
制御部２２は、ステップＳ３０でマイク入力レベル≦空気中レベルではない（Ｎｏ）、
つまりマイク入力レベルが閾値より大きく携帯電子機器１０が水中にいないと判定したら、ステップＳ３１として、クリーニング動作を終了（中断）し、ステップＳ１２に進む。つまり制御部２２は、携帯電子機器１０が洗浄途中で水中からだされたと判定して、ステップＳ１２の処理を行い、携帯電子機器１０を水中に入れるようにユーザーに通知する。
【００８９】
制御部２２は、ステップＳ３０でマイク入力レベル≦空気中レベルである（Ｙｅｓ）、つまりマイク入力レベルが閾値以下であり携帯電子機器１０が水中にあると判定したら、ステップＳ３２としてカウンタをカウントアップするかを判定する。なお、制御部２２は、カウンタ＜Ｃ＞のＰが一定値以上のとなった場合、カウントアップを行わない判定する。制御部２２は、ステップＳ３２で、カウントアップする（Ｙｅｓ）と判定したら、ステップＳ３４としてカウンタ＜Ｃ＞のＣをＣ＋１とする。つまりカウンタ＜Ｃ＞のカウントをアップさせる。その後制御部２２は、ステップＳ３０に進む。なお、制御部２２は、ステップＳ３０からステップＳ３４の処理を一定時間間隔で行う。これにより、洗浄を一定時間行ったらカウンタが一定回数となり、一定時間の洗浄を行うことができる。
【００９０】
制御部２２は、ステップＳ３２でカウントアップしない（Ｎｏ）と判定したら、ステップＳ３６として、クリーニング動作を終了し、つまり、タッチパネル１２の振動を停止し、ステップＳ３８としてユーザーに通知し、本処理を終了する。なお、制御部２２は、ステップＳ３８でクリーニングが終了したことをユーザーに通知する。
【００９１】
携帯電子機器１０は、以上のように洗浄を実行することで、水中に入ったかを自動で的確に判定することができる。また、携帯電子機器１０が備えている機器を用いて判定を行えるため、装置構成を簡単にしつつ、判定を実行できる。また、洗浄中も水中にいるかを判定することで、水中から出た場合に速やかにタッチパネル１２の振動を停止することができる。
【００９２】
また、上記実施形態では、周囲環境を判断する際に、スピーカ１７から所定周波数の音声を発生させ、これをマイク１５で取り込むようにしたが、使用する音声周波数が必ずしも人間の可聴帯域内（約２０Ｈｚ〜２００００Ｈｚ）である必要はない。上記のような洗浄時は、周囲環境を判断していることを報知する必要はあるため、人間の可聴帯域外の音波を使用することがより望ましい。その場合、人間の可聴帯域外の音波を発振可能なレシーバ１６、スピーカ１７、もしくは不図示のサウンダ等を搭載させる。
【００９３】
また、上記実施形態では、周囲環境を判断する際に、スピーカ１７から所定周波数の音声を発生させるとしたが、特別な音声を用意する必要はなく、通常の着信音程度の音声や防犯ブザーの音声等を利用して周囲環境を判断することももちろん可能である。
【００９４】
また、上述では超音波周波数での交流駆動を例に述べたがこれに必ずしも限定されない。例えば超音波周波数でのパルス波による駆動でもよい。
【符号の説明】
【００９５】
１０  携帯電子機器
１１  筐体
１２タッチパネル
１２Ａ  タッチセンサ
１２Ｂ  表示部
１３  入力部
１３Ａ、１３Ｂ  ボタン
１３Ｃ  入力デバイス
１５  マイク
１６  レシーバ
１７  スピーカ
１８  ハイブモータ
２２  制御部
２２ａ  周囲環境判断部
２２ｂ  洗浄制御部
２４  記憶部
２６  送受信部
３０  音声処理部
【図１】
2012205151.tif 000003
【図２】
2012205151.tif 000004
【図３】
2012205151.tif 000005
【図４】
2012205151.tif 000006
【図５】
2012205151.tif 000007
【図６】
2012205151.tif 000008
【図７】
2012205151.tif 000009
【図８】
2012205151.tif 000010
【図９】
2012205151.tif 000011
【図１０】
2012205151.tif 000012
【図１１】
2012205151.tif 000013
【図１２】
2012205151.tif 000014
【図１３】
2012205151.tif 000015
【図１４】
2012205151.tif 000016
【図１５】
2012205151.tif 000017
【図１６】
2012205151.tif 000018